(57)【特許請求の範囲】
【請求項１】
カラオケ楽曲の前奏区間において、利用者が作成した独自の曲紹介データをナレーションとして再生することが可能なシステムであって、
カラオケ演奏装置で予約登録されている予約楽曲の曲紹介データを作成する曲紹介データ作成手段と、
前記作成された曲紹介データを、前記カラオケ演奏装置に送信する曲紹介データ送信手段と、
前記予約楽曲の楽曲ＩＤと、前記作成された曲紹介データとを紐付けして登録する曲紹介データ登録手段と、
前記曲紹介データをナレーションとして音声合成する音声合成手段と、
前記音声合成されたナレーションの再生時間を算出するナレーション再生時間算出手段と、
前記予約楽曲の前奏時間と、当該予約楽曲の楽曲ＩＤと紐付けして登録された曲紹介データのナレーション再生時間とを比較するナレーション再生時間比較手段と、
前記ナレーション再生時間比較手段における比較結果に基づいて、前記予約楽曲の演奏開始タイミング、または前記曲紹介データのナレーション再生開始タイミングを決定するナレーション開始タイミング決定手段と、
前記決定された開始タイミングに基づいて、前記予約楽曲の前奏時間に合わせて前記曲紹介データのナレーションを再生するナレーション再生手段と、
前記曲紹介データの言語と、当該曲紹介データに紐付け登録された楽曲ＩＤを有する予約楽曲の選曲予約者の日常使用言語とを比較する言語比較手段と、
を備え、
前記音声合成手段は、前記曲紹介データの言語と前記選曲予約者の日常使用言語とが異なる場合に、当該曲紹介データを当該選曲予約者の日常使用言語で音声合成を行う、
ことを特徴とするカラオケイントロにおける曲紹介システム。
【発明の詳細な説明】
【技術分野】
【０００１】
本発明はカラオケイントロにおける曲紹介システムに関するものであり、詳しくは、カラオケ楽曲のイントロダクション（前奏区間）において、利用者が作成した独自の曲紹介ナレーションを再生することが可能なシステムに関するものである。
【背景技術】
【０００２】
カラオケ歌唱を行う際に、歌唱の雰囲気を盛り上げるため、歌唱前の前奏区間にて有名司会者が歌唱するカラオケ楽曲の曲紹介ナレーションを行ってくれるコンテンツが好評を得ている。しかし、このとき前奏区間にてナレーションされる紹介文は、予めカラオケ楽曲の楽曲データに対応付けられた曲紹介ナレーションであるため、カラオケ事業者は、カラオケ楽曲毎に前奏区間でナレーションされる紹介文をそれぞれ作成して対応付けることが必要となる。このため、現在のカラオケ装置に記憶されている膨大な数のカラオケ楽曲すべてに対して、それぞれ紹介文を対応させることはできない。したがって、このようなナレーションシステムは、一部のジャンルや人気のあるカラオケ楽曲に限られたコンテンツとなっているのが現状である。
【０００３】
このような問題に対して、任意のカラオケ楽曲について、その演奏内容を反映したライナーノーツを生成し、ナレーションを付与する技術が開示されている（特許文献１参照）。特許文献１に記載された技術は、カラオケ楽曲の音量や音の明るさ等を示す複数の特定値からなる音響特性とカラオケ楽曲のジャンルとを用いて、楽曲紹介データベースに記憶されている曲紹介データを取得する。そして、前奏、間奏、後奏区間に、音声合成された曲紹介データを出力したり、利用者が入力した演奏者の氏名等を曲紹介データの所定部分に付加したりするようになっている。
【０００４】
また、カラオケ楽曲毎の歌詞の内容に適応したナレーションを再生することが可能な技術が開示されている（特許文献２参照）。特許文献２に記載された技術は、カラオケ楽曲の歌詞文字データと、曲紹介データのキーワード情報とを用いて、歌詞文字データの中に曲紹介データのキーワード情報が存在した場合には、その曲紹介データを抽出して、前奏時にナレーション音声を挿入するようになっている。
【先行技術文献】
【特許文献】
【０００５】
【特許文献１】特開２００８−２４２３７６号公報
【特許文献２】特開２００６−２７６５５０号公報
【発明の概要】
【発明が解決しようとする課題】
【０００６】
特許文献１や特許文献２に記載された技術を用いることにより、カラオケ事業者は、楽曲データ毎に曲紹介文を対応付けることなく、カラオケ楽曲の前奏区間に曲紹介ナレーションを自動的に挿入することが可能になる。また、曲紹介ナレーションの一部に歌唱者の氏名等を挿入することもできるが、歌唱者以外の利用者や、歌唱前に歌唱者自らが作成した独自の曲紹介データなど、独自の曲紹介データを前奏区間に挿入することはできない。
【０００７】
また、特許文献１及び特許文献２に記載された技術は、どちらも演奏されるカラオケ楽曲に合致した曲紹介データを一律に抽出して出力する技術であるため、演奏されるカラオケ楽曲に対して、前奏区間で毎回同じ曲紹介データがナレーションされることになる。このため、カラオケ楽曲毎に毎回同一の曲紹介がナレーションされるため、利用者は代わり映えしない曲紹介ナレーションに聞き飽きてしまうことがある。
【０００８】
本発明は、上述した事情に鑑み提案されたもので、カラオケ楽曲のイントロダクション（前奏区間）において、利用者が作成した独自の曲紹介ナレーションを再生することが可能なカラオケイントロにおける曲紹介システムを提供することを目的とする。
【課題を解決するための手段】
【０００９】
本発明のカラオケイントロにおける曲紹介システムは、上述した目的を達成するため、以下の特徴点を有している。すなわち、本発明のカラオケイントロにおける曲紹介システムは、カラオケ楽曲の前奏区間において、利用者が作成した独自の曲紹介データをナレーションとして再生することが可能なシステムであって、曲紹介データ作成手段と、曲紹介データ送信手段と、曲紹介データ登録手段と、音声合成手段と、ナレーション再生時間算出手段と、ナレーション再生時間比較手段と、ナレーション開始タイミング決定手段と、ナレーション再生手段と、言語比較手段とを備えたことを特徴とするものである。
【００１０】
曲紹介データ作成手段は、例えば、利用者が所持する携帯情報端末を利用して、カラオケ演奏装置で予約登録されている予約楽曲の曲紹介データを作成するための手段である。曲紹介データ送信手段は、作成された曲紹介データを、カラオケ演奏装置に送信するための手段である。曲紹介データ登録手段は、予約楽曲の楽曲ＩＤと、作成された曲紹介データとを紐付けして登録するための手段である。
【００１１】
音声合成手段は、曲紹介データをナレーションとして音声合成するための手段である。ナレーション再生時間算出手段は、音声合成されたナレーションの再生時間を算出するための手段である。ナレーション再生時間比較手段は、予約楽曲の前奏時間と、当該予約楽曲の楽曲ＩＤと紐付けして登録された曲紹介データのナレーション再生時間とを比較するための手段である。
【００１２】
ナレーション開始タイミング決定手段は、予約楽曲の前奏時間と曲紹介データのナレーション再生時間との比較結果に基づいて、予約楽曲の演奏開始タイミング、または曲紹介データのナレーション再生開始タイミングを決定するための手段である。ナレーション再生手段は、決定された開始タイミングに基づいて、予約楽曲の前奏時間に合わせて曲紹介データのナレーションを再生するための手段である。
【００１３】
言語比較手段は、曲紹介データの言語と、当該曲紹介データに紐付け登録された楽曲ＩＤを有する予約楽曲の選曲予約者の日常使用言語とを比較するための手段である。この場合、音声合成手段は、曲紹介データの言語と選曲予約者の日常使用言語とが異なる場合に、当該曲紹介データを当該選曲予約者の日常使用言語で音声合成を行う。
【発明の効果】
【００１４】
本発明のカラオケイントロにおける曲紹介システムによれば、利用者が携帯情報端末で作成した独自の曲紹介データを、指定した予約楽曲の前奏区間でナレーションとして再生することができる。したがって、従来のように、予め楽曲毎に決められた既製の紹介データを抽出して、ただ単に前奏区間に挿入するのではなく、利用者が自由に作成した独自の曲紹介データを前奏区間にナレーションとして再生することができる。このため、代わり映えしない曲紹介が毎回ナレーションされることがなく、歌唱というカラオケ本来の楽しさだけではなく、曲紹介のナレーションを作成して聴取するという楽しさが加わり、より一層、カラオケを楽しむことができる。
【００１５】
また、単に予約楽曲に関連した紹介文をナレーションするのではなく、歌唱者個人の出来事や話題を、前奏区間における曲紹介としてナレーションすることができるため、この点においても、カラオケの楽しさを増加させることができる。
【００１６】
また、曲紹介データを当該選曲予約者の日常使用言語で音声合成を行うことにより、曲紹介として再生されるナレーションを、選曲予約者が親しみをもって聴取することができるので、より一層、カラオケを楽しむことができる。
【図面の簡単な説明】
【００１７】
【図１】本発明の実施形態に係るカラオケイントロにおける曲紹介システムの概略構成を示すブロック図。
【図２】曲紹介データの作成例を示す説明図。
【図３】曲紹介データのナレーション再生時間の算出例を示す説明図。
【図４】予約楽曲の演奏開始タイミング及び曲紹介データのナレーション再生開始タイミングの決定例を示す説明図。
【図５】利用者管理テーブルの一例を示す説明図。
【図６】曲紹介データの受付終了の報知画面の一例を示す説明図。
【発明を実施するための形態】
【００１８】
以下、図面を参照して、本発明のカラオケイントロにおける曲紹介システム（以下、曲紹介システムと略記する）の実施形態について説明する。図１〜図６は本発明の実施形態に係る曲紹介システムを説明するもので、図１は曲紹介システムの概略構成を示すブロック図、図２は曲紹介データの作成例を示す説明図、図３は曲紹介データのナレーション再生時間の算出例を示す説明図、図４は予約楽曲の演奏開始タイミング及び曲紹介データのナレーション再生開始タイミングの決定例を示す説明図、図５は利用者管理テーブルの一例を示す説明図、図６は曲紹介データの受付終了の報知画面の一例を示す説明図である。
【００１９】
＜曲紹介システムの概要＞
図１に示すように、本発明の実施形態に係る曲紹介システム３００は、カラオケ楽曲の前奏区間において、利用者が作成した独自の曲紹介データをナレーションとして再生することが可能なシステムであって、カラオケ演奏装置１０、携帯情報端末２０、サーバー３０等により構成される。この曲紹介システム３００は、曲紹介データ作成手段２１と、曲紹介データ送信手段２２と、曲紹介データ登録手段１０７と、音声合成手段１０８と、ナレーション再生時間算出手段１０９と、ナレーション再生時間比較手段１１０と、ナレーション開始タイミング決定手段１１１と、ナレーション再生手段１１２とを備えている。
【００２０】
図１に示す例では、データ通信回線２１０を介してサーバー３０とカラオケ演奏装置１０とがデータを送受信可能に接続されており、カラオケ演奏装置１０とカラオケリモコン装置４０とがペアリングされている。また、携帯情報端末２０に所定のアプリケーションプログラムをインストールすることにより、携帯情報端末２０を用いてカラオケに関する種々の操作を行うことができる。携帯情報端末２０は、通信基地局２００及びデータ通信回線２１０を介してサーバー３０との間でデータの送受信が可能となっている。また、携帯情報端末２０とカラオケ演奏装置１０との間で、無線通信または有線通信により、直接、データの送受信を行うことができるようにしてもよい。
【００２１】
以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２２】
＜携帯情報端末＞
携帯情報端末２０は、例えば、スマートフォンやタブレット端末からなり、電話機能、データ送受信機能、アプリケーションソフトウェアの実行機能を備えている。本実施形態では、携帯情報端末２０に所定のアプリケーションプログラムをインストールすることにより、曲紹介データ作成手段２１及び曲紹介データ送信手段２２として機能させることができる。また、携帯情報端末２０は、記憶手段２３、入出力表示部（タッチパネル）２４を備えている。
【００２３】
＜曲紹介データ作成手段＞
曲紹介データ作成手段２１は、カラオケ演奏装置１０で予約登録されている予約楽曲の曲紹介データを作成するためのプログラムからなる。すなわち、曲紹介データ作成手段２１は、カラオケ演奏装置１０の予約楽曲管理テーブル１０３ａから演奏順に並べられた予約楽曲の楽曲ＩＤと、当該楽曲ＩＤに紐付けられた予約楽曲が演奏される順番を示す演奏順番ＩＤとを取得し、当該楽曲ＩＤと演奏順番ＩＤを有するカラオケ楽曲について曲紹介データを作成する。曲紹介データの作成には、携帯情報端末２０の入出力表示部（タッチパネル）２４等を用いて、紹介文を入力すればよい。
【００２４】
例えば、入出力表示部（タッチパネル）２４に予約楽曲名を一覧表示し、利用者が所望する予約楽曲のアイコンをタップすることにより、曲紹介データを作成する予約楽曲が指定される。そして、予め設定した所定文字数の範囲内で、利用者が紹介文を入力すると、当該紹介文を曲紹介データとしてＲＡＭ等に一時記憶する。なお、曲紹介データは、一音ずつの文字データ（ひらがなデータやカタカナデータ）であってもよいし、単語毎の文字データ（単語に変換したデータ）であってもよい。また、曲紹介データを作成する際に、音声合成時における再生速度（ゆっくり発音／早口発音）や、語り口調（関西弁風／東北方言風／コギャル風等）を指定できるようにしてもよい。
【００２５】
なお、曲紹介データを作成する際に表示される予約楽曲名の一覧表示に関しては、カラオケ演奏装置１０から取得した演奏順に並べられた楽曲ＩＤと演奏順を示す演奏順番ＩＤに基づき、例えば図２（ａ）に示すような一覧表示を行う。一覧表示の際には、曲紹介データを受付け中であるか、あるいは、カラオケ演奏装置１０から現在演奏されている楽曲が演奏開始された直後である、演奏終了から所定時間前である等を報知する報知データを受信し、登録受付間際であるか、受付終了したか等を報知してもよい。
【００２６】
また、現在演奏されている楽曲の終了間際に、次曲の曲紹介データを受付けたとしても、カラオケ演奏装置１０では、曲紹介データの登録処理を行うことができない。そこで、予約楽曲に対する曲紹介データの登録受付締切を報知する必要がある。例えば、図６に示すように、曲紹介データの登録受付の終了時間が迫っていることを表示装置７０の表示画面に表示する。予約楽曲Ａに対する曲紹介データの登録受付は、当該予約楽曲Ａの前曲の演奏が開始された直後に報知することにより、カラオケ演奏装置１０において曲紹介データの登録処理を行うことができる。
【００２７】
曲紹介データは、例えば、図２（ｂ）に示すように、「きょうも、おつかれさま。しごとの、ストレスを。うたって、はらそう。あすもがんばって、しごとだ。では。かとうさん。どうぞ。」、あるいは、図２（ｃ）に示すように、「今日も、お疲れさま。仕事の、ストレスを。歌って、晴らそう。明日も頑張って、仕事だ。では。加藤さん。どうぞ。」という文字データからなり、句点を改行位置とし、読点を単語区切り位置とする。
【００２８】
＜曲紹介データ送信手段＞
曲紹介データ送信手段２２は、曲紹介データ作成手段２１の機能により作成された曲紹介データを、カラオケ演奏装置１０に送信するためのプログラムからなる。携帯情報端末２０からカラオケ演奏装置１０に曲紹介データを送信するには、携帯情報端末２０から通信基地局２００及びデータ通信回線２１０を介してサーバー３０に曲紹介データ（楽曲ＩＤと紹介文のデータ）及びカラオケ演奏装置１０の識別ＩＤを送信し、サーバー３０では受信した曲紹介データを該当するカラオケ演奏装置１０に送信してもよいし、同一のＬＡＮ内に設置されたルータ９０を介して、作成された紹介データを携帯情報端末２０から、直接、カラオケ演奏装置１０に送信してもよい。
【００２９】
＜記憶手段＞
記憶手段２３は、電話番号をはじめとする通信相手データ、ウェブサイトのアドレスデータ、携帯情報端末２０の撮影機能で撮影した映像データ、各種のアプリケーションプログラム、カラオケ演奏装置１０から送信される予約楽曲管理テーブル１０３ａにて演奏順に管理されている予約楽曲の楽曲ＩＤや演奏順番ＩＤ、その他のデータを記憶するための装置である。
【００３０】
＜入出力表示部＞
入出力表示部２４は、表示機能及びタッチパネル機能を備えており、携帯情報端末２０を操作するための各種の入出力を行うとことができる。
【００３１】
＜サーバー＞
サーバー３０は、複数のカラオケ演奏装置１０や携帯情報端末２０と通信を行うことにより、種々の制御信号及びデータを送受信して、カラオケ演奏装置１０を総合的に管理するための装置である。また、図示しないが、サーバー３０は、パーソナルコンピューターやゲーム機器等とデータ通信を行うことができるように構成してもよい。
【００３２】
サーバー３０は、基本的機能手段として、図１に示すように、ＣＰＵ等を含むサーバー制御手段３１、サーバー３０で管理する各種のデータを記憶するサーバー記憶手段３２、サーバー通信制御手段３３を備えている。
【００３３】
＜サーバー制御手段＞
サーバー制御手段３１は、サーバー３０を総合的に制御するための電子機器であり、図示しないが、例えばＣＰＵ及びその周辺機器により構成されており、ＣＰＵ等がＲＯＭ等に記憶されたプログラムに従って動作することにより、制御機能を発揮することができるようになっている。
【００３４】
＜サーバー記憶手段＞
サーバー記憶手段３２は、サーバー３０で管理する各種のデータを記憶するための装置であり、本実施形態では、利用者管理テーブル３２ａが記憶されている。
【００３５】
＜サーバー通信制御手段＞
サーバー通信制御手段３３は、カラオケ演奏装置１０や携帯情報端末２０との間で、データ及び信号の送受信を制御するための電子機器及びプログラムからなる。
【００３６】
＜カラオケ演奏装置及び付帯機器＞
本発明の実施形態に係る曲紹介システム３００を適用するカラオケ演奏装置１０には、図１に示すように、カラオケリモコン装置４０、マイクロホン５０、スピーカ６０、表示装置７０、ミキシングアンプ８０が付帯している。また、カラオケ演奏装置１０と、サーバー３０及びカラオケリモコン装置４０は、ルータ９０及びＬＡＮ回線やインターネット回線等のデータ通信回線２１０を介してネットワーク接続されている。さらに、利用者が所持する携帯情報端末２０は、通信基地局２００及びデータ通信回線２１０を介して、サーバー３０とネットワーク接続されている。なお、携帯情報端末２０とカラオケ演奏装置１０との間で、ＷｉＦｉ等を使用して、同一のＬＡＮ内に設置されたルータ９０を介して、直接、データの送受信を行えるようにしてもよい。
【００３７】
＜カラオケリモコン装置＞
カラオケリモコン装置は、ユーザインタフェース機能を備えており、ルータ９０及びデータ通信回線２１０（ＬＡＮ回線）を介して、カラオケ演奏装置１０との間でデータの送受信を行うようになっている。このカラオケリモコン装置４０は、楽曲検索手段４１として機能するプログラム、楽曲索引データベース４２、種々のデータを記憶するデータ記憶部４３、データの入出力を行うためのリモコン入出力表示部４４を備えている。
【００３８】
このカラオケリモコン装置４０に付帯するスイッチ類や、リモコン入出力表示部４４に表示される各種のアイコン等を操作することにより、選曲操作、音量調整、テンポ調整、キー調整、選曲予約履歴の参照等の処理が行われる。また、利用者を特定する際に必要となる利用者ＩＤは、カラオケリモコン装置４０のＩＤ読取機能や入力機能を用いたり、利用者の携帯情報端末２０のＩＤ送信機能や入力機能を用いたりして取得することができる。なお、本実施形態では、携帯情報端末２０で曲紹介データを作成しているが、カラオケリモコン装置４０にて、カラオケ演奏装置１０から送信されてくる楽曲ＩＤと演奏順番ＩＤを受信し、指定した予約楽曲に対して曲紹介文データを作成して送信してもよい。
【００３９】
＜マイクロホン／スピーカ＞
マイクロホン５０は、歌唱音声の入力を行うための装置である。マイクロホン５０から入力された歌唱音声信号はミキシングアンプ８０に入力され、音楽再生制御手段１１３から送出されるカラオケ演奏信号とミキシングされるとともに増幅され、スピーカ６０へ出力される。また、マイクロホン５０からの音声入力信号を歌唱採点や歌唱音声の録音に使用することができる。この場合には、マイクロホン５０からの音声入力信号は、Ａ／Ｄコンバータ（図示せず）を介してカラオケ演奏装置１０に入力され、歌唱採点手段（図示せず）、歌唱音声録音手段（図示せず）において、それぞれの処理が行われる。
【００４０】
＜表示装置＞
表示装置７０は、カラオケ楽曲に関連した背景映像や歌詞テロップを表示するための装置で、例えば、液晶ディスプレイ等により構成される。
【００４１】
＜カラオケ演奏装置＞
カラオケ演奏装置１０は、中央制御手段１０１、ＲＯＭ１０２、ＲＡＭ１０３、ＨＤＤ１０４、通信制御手段１０５、予約楽曲管理手段１０６、曲紹介データ登録手段１０７、音声合成手段１０８、ナレーション再生時間算出手段１０９、ナレーション再生時間比較手段１１０と、ナレーション開始タイミング決定手段１１１、ナレーション再生手段１１２、音楽再生制御手段１１３、映像再生制御手段１１４を備えている。また、カラオケ演奏装置１０の機能手段として、言語比較手段１１５を備えていてもよい。
【００４２】
＜中央制御手段＞
中央制御手段１０１は、カラオケ演奏装置１０を総合的に制御するための電子機器であり、例えばＣＰＵ及びその周辺機器により構成されており、ＣＰＵ等がＲＯＭ１０２等に記憶されたプログラムに従って動作することにより、制御機能を発揮することができるようになっている。
【００４３】
＜ＲＯＭ／ＲＡＭ＞
ＲＯＭ１０２は、カラオケ演奏装置１０を構成する各機器を制御するためのプログラムデータや数値データを記憶するための電子機器である。また、ＲＡＭ１０３は、プログラムや各種データを一時的に記憶する一時記憶領域として機能する電子機器である。本実施形態では、予約楽曲管理手段１０６の機能により作成した予約楽曲管理テーブル１０３ａが記憶されている。
【００４４】
＜ＨＤＤ＞
ＨＤＤ１０４は、大容量記憶装置として機能するもので、楽曲データベース１０４ａ、背景映像データベース１０４ｂが格納されている。なお、ＨＤＤ１０４に替えて、あるいはＨＤＤ１０４と共に、データを書き替え可能なＤＶＤ等の大容量記憶手段を用いてもよい。
【００４５】
＜楽曲データベース／背景映像データベース＞
楽曲データベース１０４ａは、演奏制御データ（ＭＩＤＩ規格のデータ）及び歌詞描出データが同期されて構成される楽曲データについて、楽曲ＩＤと対応付けしてそれぞれ構成されたデータベースである。演奏制御データは、各楽曲の演奏を制御するためのデジタルデータであり、歌詞描出データは演奏に同期した歌詞文字の表示タイミングデータ及び色変わりデータ、ガイドボーカルデータ、演奏楽曲の主旋律等からなり歌唱採点の基準となるリファレンスデータを含んでいる。背景映像データベース１０４ｂは、演奏されるカラオケ楽曲に対応した背景映像を、当該カラオケ楽曲の楽曲ＩＤに対応させた背景映像ファイルとして所定数格納したデータベースである。
【００４６】
＜通信制御手段＞
通信制御手段１０５は、カラオケリモコン装置４０やサーバー３０との間で、データ及び信号の送受信を制御するための電子機器及びプログラムからなる。この通信制御手段１０５の機能により、携帯情報端末２０、カラオケリモコン装置４０、サーバー３０との間で送受信するデータ及び信号の同期や誤り制御等を行う。
【００４７】
＜予約楽曲管理手段／予約楽曲管理テーブル＞
予約楽曲管理手段１０６は、利用者がカラオケ楽曲の予約を行う際に、カラオケリモコン装置４０を用いて決定された予約楽曲の情報がカラオケ演奏装置１０に送信された後に、カラオケ演奏装置１０において、当該利用者の利用者ＩＤと予約楽曲の楽曲ＩＤとを対応付けして、予約楽曲管理テーブル１０３ａにて演奏順を示した演奏順番ＩＤとともに管理するためのプログラムからなる。すなわち、予約楽曲管理手段１０６は予約楽曲管理テーブル１０３ａを作成し、この予約楽曲管理テーブル１０３ａをＲＡＭ１０３に記憶して管理する。予約楽曲管理テーブル１０３ａは、利用者により楽曲検索手段４１の機能を用いて選曲された楽曲の楽曲ＩＤ及び利用者ＩＤを関連付けて、演奏順に並べたデータテーブルである。
【００４８】
また、作成された予約楽曲管理テーブル１０３ａにて管理されている楽曲ＩＤと演奏順番ＩＤは、通信制御手段１０５を介して携帯情報端末２０に送信される。なお、予約楽曲管理テーブル１０３ａにて管理されている楽曲ＩＤと演奏順番ＩＤを、カラオケ演奏装置１０から、携帯情報端末２０へ送信するタイミングとしては、所定の時間間隔で送信したり、演奏順番に変化があった時、すなわち、予約楽曲が新たに追加された時や割込み予約がされた時、または、最上位の予約楽曲が演奏開始された時等である。
【００４９】
＜曲紹介データ登録手段＞
曲紹介データ登録手段１０７は、予約楽曲の楽曲ＩＤと、携帯情報端末２０で作成された曲紹介データとを紐付けして登録するためのプログラムからなる。すなわち、曲紹介データ登録手段１０７は、予約楽曲管理テーブル１０３ａにて管理されている予約楽曲の楽曲ＩＤに曲紹介データを紐付けして登録する。この際、曲紹介データを予約楽曲管理テーブル１０３ａにて管理してもよいし、曲紹介データ管理テーブル（図示せず）を作成して曲紹介データを管理してもよい。
【００５０】
なお、楽曲ＩＤと曲紹介データとを紐付けして登録する際に、複数の曲紹介データが作成されて登録されることも想定される。そこで、複数の曲紹介データが作成された場合には、その優先順位を決定する必要がある。例えば、最初に受信した曲紹介データの順位を高くしたり、楽曲を予約した利用者（歌唱者）自身が作成した曲紹介データの順位を高くしたり、利用者（歌唱者）自身を含め複数の利用者が曲紹介データを作成した場合には、利用者（歌唱者）自身の曲紹介データの順位を低くする等、種々の態様で曲紹介データを登録することができる。
【００５１】
＜曲紹介データの登録受付締切及び受付終了＞
また、現在演奏されている楽曲の終了間際に、次曲の曲紹介データを受付けたとしても、カラオケ演奏装置１０では、曲紹介データの登録処理を行うことができない。そこで、予約楽曲に対する曲紹介データの登録受付締切を報知する必要がある。例えば、図６に示すように、曲紹介データの登録受付の終了時間が迫っていることを表示装置７０の表示画面に表示する。予約楽曲Ａに対する曲紹介データの登録受付は、当該予約楽曲Ａの前曲の演奏が開始された直後に報知することができる。また、受付終了に関しては、演奏終了時間から所定時間前にカラオケ演奏装置１０において曲紹介データの登録処理や登録受付終了を報知することができる。
【００５２】
＜音声合成手段＞
音声合成手段１０８は、曲紹介データをナレーションとして音声合成するためのプログラムからなる。音声合成には、周知の技術を適用することができる。なお、本発明では、曲紹介データの言語と選曲予約者の日常使用言語（母国語）とが異なる場合に、当該曲紹介データを当該選曲予約者の日常使用言語（母国語）で音声合成を行うような構成とすることができる。
【００５３】
この場合、図５に示すように、利用者管理テーブル３２ａの一項目として日常使用言語（母国語）のデータを記録し、予約楽曲管理テーブル１０３ａにて予約楽曲の楽曲ＩＤと紐付けされた利用者ＩＤに基づいて、当該選曲予約者の日常使用言語（母国語）を抽出し、曲紹介データを当該選曲予約者の日常使用言語（母国語）で音声合成してもよい。なお、説明を容易なものとするため、日常使用言語を母国語としているが、日常使用言語は必ずしも母国語である必要はなく、選曲予約者が理解可能な言語として予約楽曲管理テーブル１０３ａにて管理されている言語であればよい（以下の説明においても同様）。曲紹介データの言語と、ナレーションの言語とが異なる場合には、翻訳を行う必要がある。言語翻訳については、既存の技術を用いることができる。
【００５４】
音声合成手段１０８における音声合成では、ナレーションを再生する際の速度や口調等を指定可能とすることが好ましい。例えば、ナレーションを再生する際の速度、改行位置、次の単語を発音するまでの時間（いわゆる「間（ま）」）は、早口モード（１文字あたりの速度＝０．１５秒／改行時間＝０．５秒）、普通モード（１文字あたりの速度＝０．３５秒／改行時間＝１．５秒）、ゆっくりモード（１文字あたりの速度＝０．５５秒／改行時間＝２．５秒）とする。
【００５５】
また、ナレーションの口調は、有名司会者（テレビや歌謡ショー等で有名な司会者）、方言（東北地方、関西地方、沖縄地方、標準語の口調）、外国人の語り言葉（外国人が日本語を発音する口調）、赤ちゃん言葉、コギャル風言葉（コギャルが喋る口調）等を設定可能とする。
【００５６】
＜ナレーション再生時間算出手段＞
ナレーション再生時間算出手段１０９は、音声合成されたナレーションの再生時間を算出するためのプログラムからなる。図３を参照して、「きょうも、おつかれさま。しごとの、ストレスを。うたって、はらそう。あすもがんばって、しごとだ。では。かとうさん。どうぞ。」という曲紹介データのナレーション再生時間の算出について説明する。ここで、紹介文の再生指定条件として、文字数＝４９、指定速度＝普通、改行数＝７（最後の「どうぞ」の後の句点を改行に加えた場合）とする。
【００５７】
この例では、「きょうも」「おつかれさま」の部分が（文字数１０×０．３５）＋１．５秒＝５秒となり、「しごとの」「ストレスを」の部分が（文字数９×０．３５）＋１．５秒＝４．６５秒となり、「うたって」「はらそう」の部分が（文字数８×０．３５）＋１．５秒＝４．３秒となり、「あすもがんばって」「しごとだ」の部分が（文字数１２×０．３５）＋１．５秒＝５．７秒となり、「では」の部分が（文字数２×０．３５）＋１．５秒＝２．２秒となり、「かとうさん」の部分が（文字数５×０．３５）＋１．５秒＝３．２５秒となり、「どうぞ」の部分が（文字数３×０．３５）＋１．５秒＝２．５５秒となり、合計のナレーション再生時間は２７．６５秒となる。
【００５８】
＜ナレーション再生時間比較手段＞
ナレーション再生時間比較手段１１０は、予約楽曲の前奏時間と、当該予約楽曲の楽曲ＩＤと紐付けして登録された曲紹介データのナレーション再生時間とを比較するためのプログラムからなる。予約楽曲の前奏時間は、楽曲データベース１０４ａに格納された楽曲データから認識することができ、ナレーション再生時間は、ナレーション再生時間算出手段１０９により認識することができる。
【００５９】
＜ナレーション開始タイミング決定手段＞
ナレーション開始タイミング決定手段１１１は、ナレーション再生時間比較手段１１０における比較結果に基づいて、予約楽曲の演奏開始タイミング、または曲紹介データのナレーション再生開始タイミングを決定する。ナレーション開始タイミング決定手段１１１では、曲紹介データのナレーション再生時間が予約楽曲の前奏時間より長い場合と、曲紹介データのナレーション再生時間が予約楽曲の前奏時間より短い場合とで、開始タイミング決定処理が異なる。図４を参照して、ナレーション開始タイミングの決定について説明する。
【００６０】
＜曲紹介データのナレーション再生時間が予約楽曲の前奏時間よりも長い場合＞
図４（ａ）に示すように、ナレーション再生時間が２７秒、予約楽曲の前奏時間が１５秒であったとする。この場合、予約楽曲の演奏開始（前奏の演奏開始）までに１２秒間の待ち状態とし、ナレーションの再生を開始した後、１２秒後に予約楽曲の演奏を開始（前奏の演奏を開始）する。
【００６１】
＜曲紹介データのナレーション再生時間が予約楽曲の前奏時間よりも短い場合＞
図４（ｂ）に示すように、ナレーション再生時間が１５秒、予約楽曲の前奏時間が２０秒であったとする。この場合、予約楽曲の演奏を開始（前奏の演奏を開始）した後、５秒後にナレーションの再生を開始する。
【００６２】
＜ナレーション再生手段＞
ナレーション再生手段１１２は、ナレーション開始タイミング決定手段１１１により決定された開始タイミングに基づいて、予約楽曲の前奏時間に合わせて曲紹介データのナレーションを再生するためのプログラムからなる。本実施形態では、前奏の終了時間と曲紹介データに基づくナレーションの再生終了時間により、ナレーションの再生終了タイミングで前奏が終了するように制御している。すなわち、ナレーションの再生が終了した後に歌唱が開始するように調整しているため、再生時間が長い曲紹介データの場合には、前奏が開始される以前（演奏待ち状態）にて曲紹介のナレーションが再生される。このような処理を行うことにより、カラオケ楽曲の再生時間を無理に調整する必要がなくなり、利用者に違和感を与えることがない自然な曲紹介を行うことができる。
【００６３】
＜言語比較手段＞
言語比較手段１１５は、曲紹介データの言語と、当該曲紹介データに紐付け登録された楽曲ＩＤを有する予約楽曲の選曲予約者の日常使用言語（母国語）とを比較するためのプログラムからなる。上述したように、予約楽曲管理テーブル１０３ａで予約楽曲の楽曲ＩＤと紐付けされた利用者ＩＤに基づいて、当該選曲予約者の日常使用言語（母国語）を認識することができる。そして、音声合成手段１０８では、曲紹介データの言語と選曲予約者の日常使用言語（母国語）とが異なる場合に、当該曲紹介データを当該選曲予約者の日常使用言語（母国語）で音声合成を行う。
【００６４】
＜音楽再生制御手段＞
音楽再生制御手段は、楽曲ＩＤに対応する楽曲データから抽出された演奏制御データに基づいて、音源（シンセサイザ）を駆動しカラオケ演奏信号を構成する楽音信号を生成するとともにアナログ変換してミキシングアンプ８０に出力するための電子機器である。また、ミキシングアンプ８０は、マイクロホン５０から入力される歌唱音声信号と、音楽再生制御手段１１３から送出されるカラオケ演奏信号とをミキシングするとともに、アンプ機能により増幅してスピーカ６０より出力するための装置である。
【００６５】
＜映像再生制御手段＞
映像再生制御手段１１４は、カラオケ楽曲の演奏中に、背景映像データベース１０４ｂから抽出した背景映像データと、楽曲データに含まれる歌詞描出データに基づいて作成される歌詞文字とを、当該カラオケ楽曲の楽曲データに同期させて出力するための電子機器である。
【００６６】
＜他の実施形態＞
上述した実施形態では、カラオケ演奏装置１０において、音声合成を行っているが、当該処理はサーバー３０で行ってもよい。このような実施形態では、携帯情報端末２０からサーバー３０に曲紹介データを送信し、サーバー３０にて音声合成を行い、音声合成を行ったナレーションデータをカラオケ演奏装置１０に送信してもよいし、携帯情報端末２０で作成した曲紹介データを、カラオケ演奏装置１０を介してサーバー３０に送信し、サーバー３０にて音声合成を行い、音声合成を行ったナレーションデータをカラオケ演奏装置１０に送信してもよい。
【００６７】
上述した二つの実施形態では、カラオケ演奏装置１０において、受信したナレーションデータに基づいてナレーションの再生時間を算出して時間調整を行った後に、ナレーションを再生する。このように、処理負荷の大きな音声合成処理をサーバー３０にて行っているため、カラオケ演奏装置１０の処理負荷を軽減することが可能となる。
【符号の説明】
【００６８】
１０  カラオケ演奏装置
２０  携帯情報端末
２１  曲紹介データ作成手段
２２  曲紹介データ送信手段
２３  記憶手段
２４  入出力表示部
３０  サーバー
３１  サーバー制御手段
３２  サーバー記憶手段
３２ａ  利用者管理テーブル
３３  サーバー通信制御手段
４０  カラオケリモコン装置
４１  楽曲検索手段
４２  楽曲索引データベース
４３  データ記憶部
４４  リモコン入出力表示部
５０  マイクロホン
６０  スピーカ
７０  表示装置
８０  ミキシングアンプ
９０  ルータ
１０１  中央制御手段
１０２  ＲＯＭ
１０３  ＲＡＭ
１０３ａ  予約楽曲管理テーブル
１０４  ＨＤＤ
１０４ａ  楽曲データベース
１０４ｂ  背景映像データベース
１０５  通信制御手段
１０６  予約楽曲管理手段
１０７  曲紹介データ登録手段
１０８  音声合成手段
１０９  ナレーション再生時間算出手段
１１０  ナレーション再生時間比較手段
１１１  ナレーション開始タイミング決定手段
１１２  ナレーション再生手段
１１３  音楽再生制御手段
１１４  映像再生制御手段
１１５  言語比較手段
２００  通信基地局
２１０  データ通信回線
３００  曲紹介システム
【図１】
0006587459.tif 000002
【図２】
0006587459.tif 000003
【図３】
0006587459.tif 000004
【図４】
0006587459.tif 000005
【図５】
0006587459.tif 000006
【図６】
0006587459.tif 000007